(57)【要約】      （修正有）【課題】使用・携帯した際に生じた皺や折れ目を除去・修復・改善する事が出来、目的とするネクタイを簡単に探し出し、その出し入れを容易に行うことが出来るとともに、ネクタイを判別し易い状態に羅列、陳列することができるネクタイ陳列装置を提供する。【解決手段】開口部を有するネクタイ収納ケース６に巻いたネクタイ１３を収納し、ネクタイ陳列装置内に羅列する為のネクタイ搭載用棚またはバーを取り付けた事を特徴としたネクタイ陳列装置で、ネクタイを使用、携帯する際に発生する皺や折れ目は、平滑な面と適度な硬度と弾力性を有する可撓性プラスチックフィルム１４をネクタイの間に挟持して巻き込み、ネクタイを巻き取り、ネクタイホールダーの芯部にある蓄熱剤１５もしくは発熱体から発生する熱によって、除去・修復・改善せしめる。【選択図】図２
2008035979.tif 000002
【特許請求の範囲】
【請求項１】
開口部を有するネクタイ収納ケースが円筒状もしくは略円筒状であって、ネクタイホールダーが円筒状もしくは棒状の芯で、該芯の内部に蓄熱剤を保有するか、芯そのものが蓄熱効果のある材料であるかもしくは発熱体を有するネクタイホールダーであり、該ネクタイホールダーにネクタイを固定し巻きつける際に、可撓性を有するプラスチックフィルムをネクタイに巻き込んで巻き取ったあと、該プラスチックフィルムを巻き込んだロール状のネクタイをネクタイ収納ケースに、収納する事を特徴とネクタイ収納ケース。
【請求項２】
ネクタイ収納ケースが円筒状もしくは概略円筒状であって、該ネクタイ収納ケースをネクタイ陳列装置内に羅列、陳列する為のネクタイ搭載用棚もしくはバーを多段取り付ける事を特徴とした特許請求項１記載のネクタイ収納ケースを搭載するネクタイ陳列装置。
【発明の詳細な説明】
【技術分野】
【０００１】
本発明は、ネクタイを見やすい状態で収納し、該ネクタイを収納・保管している間に、ネクタイを使用・携帯した際に生じる皺や折れ目を除去・修復・改善する装置に関するものであって、ネクタイを多数収納、陳列することが出来、必要なネクタイを簡単に探し出せて、その出し入れも容易におこなうことが出来るネクタイ収納・陳列装置に関するものである。
【背景技術】
【０００２】
従来は個々のネクタイを個別にプラスチックボックスに入れたり、ネクタイホールダーに巻きつけて保管したり、もしくは単に縦に吊り下げて保管していた。
いずれの保管方法もネクタイ使用・携帯時に生じる皺や折れ目の除去・修復・改善をする機能は持たないので、皺や折れ目が付けばそのまま再使用していた。又  一箇所に沢山のネクタイを収納・保管する事が出来ず、色んな服装に合わせて多種、多様のネクタイを多数保有する現代においては複数のネクタイハンガーを必要とし、そのネクタイの中から希望するネクタイを探し出すには時間がかかった。収納時に一本ずつネクタイを吊下げる方式ではサスペンダーに取り付け、ぶら下げるのに手間が掛かり、又、ネクタイが外れて落ち易く、改めて付け直す事も多い。迅速にネクタイを選べるように電動モータを取り付け、ベルトを回転させる方法も考案されているがいずれの保管法も各ネクタイの模様や柄も詳細に確認し難く、全てのネクタイを見渡す事も出来ない。ネクタイを折り畳み収納する方式もあるが、ネクタイに折れ目が付いたり、柔らかくて高価なネクタイに皺が寄ったり、破損するおそれもあり、又、ネクタイを巻き込むように丸めて、場合によっては可撓性のプラスチックフィルムに挟持して面ファスナーで保持する方法も考案されているが、収納ケース内にネクタイをしっかりと保管する構成では無いので、巻き込んだ形で保管しているネクタイが簡単にバラケてしまう。本発明は、上記の様な不都合がない、ネクタイを収納及び陳列する装置を提供するものである。
【０００３】
【特許文献１】特開2005-046210
【特許文献２】特開平10-211080
【特許文献３】実開平05-015882
【特許文献４】実公平07-165279
【特許文献５】特許第003029539号
【特許文献６】特開2006-06486
【特許文献７】実公平03-031363
【特許文献８】特開平07-184755
【特許文献９】実公平06-43024
【発明の開示】
【発明が解決しようとする課題】
【０００４】
従来のネクタイ収納はプラスチックボックスに入れたり、ネクタイホールダーに巻きつけて収納、保管したり、もしくは単に縦に吊り下げて保管するので保管時に使用・携帯時に生じた皺や折れ目を除去・修復・改善する機能は無かった。又  多数のネクタイを収納して、家庭のクローゼットに保管したり、搬送用コンテナによって搬送したり、倉庫内に保管したりする際に、個々にボックスに収納したり、一本ずつ吊り下げる方式では、ネクタイの収納に手間がかかり、又収納効率も悪いので沢山のネクタイを収納する事ができず、輸送コストや保管費用を押し上げ、製品コストを圧迫する。家庭でクローゼットなどに保管している多数のネクタイの中からその日に着用する最適なネクタイを選び出す際に、個々のネクタイの模様やデザインを確認しつつ、全てのネクタイを見渡す事が出来ないので、ネクタイの選別にかなり時間が掛かり、幾つか取出して選定した後で、更に他の取り出したネクタイを時間を掛けて収納し直さなくてはならない。
【０００５】
店頭販売で、無秩序に集積されたネクタイの中から希望のネクタイを探し出すのは非常に困難である。多様なデザインと色柄のネクタイの中から、候補のネクタイの絞り込みから決定するまでに手間がかかり、決定後、他のネクタイを収納し直すのも従業員に多大な負荷がかかる。ネクタイの識別はネクタイ全体を陳列する必要は無く、むしろそうする事で判断を遅らせている。又、ネクタイを出し入れする際に折れたり、皺がよれば商品価値に大きく影響する。以上のように、従来の手法では、多数のネクタイを、取り扱いやすく、損傷することなく、高い収納効率で収納して搬送や保管ならびに展示に供するのは難しい。
【課題を解決するための手段】
【０００６】
本発明は、このような不具合を解決するためになされたもので、本装置に保管しておけば、使用・携帯した際に生じた皺や折れ目を除去・修復・改善する事が出来る。又  目的とするネクタイを簡単に探し出したり、その出し入れを容易におこなうことができるとともに、ネクタイを判別し易い状態に羅列、陳列することができるネクタイ陳列装置を提供することを目的としている。更に本発明は、ネクタイを損傷したりすることなく、高い収納効率で収納し、輸送することができるネクタイ陳列装置を提供することにある。更にネクタイの展示効果が高く室内装飾も兼ね備えたネクタイ陳列装置を提供する事にある。ネクタイを識別する手段は、ネクタイの先端部から約２５cm程度の長さの間を識別する事により、それによって色柄、模様  及び  ネクタイの厚み、幅等のネクタイの全ての情報を得て、ネクタイの取捨選択をしている。従って、各ネクタイのその部分が集約されて展示されるのが一番効果的である。高級で、美術工芸的な、もしくは芸術的なネクタイを高級な透明ケースやカラーケースで作ったネクタイ収納ケースに並べて陳列パネルを作成し、室内の壁等に展示すれば、素晴らしい室内装飾にもなる。
【０００７】
従来のネクタイ収納はプラスチックボックスに入れたり、ネクタイホールダーに巻きつけて個々に保管したり、もしくは垂直方向に吊り下げる方式なので一箇所に沢山のネクタイを収納する事が出来ず、収納作業に手間と時間が掛かり不便であった。又、収納効率が悪いので沢山のネクタイを一箇所に保管できず、大量に輸送する事もできない、販売する為に陳列するにしても沢山のネクタイを効率良く羅列して陳列することもできないという不便もあった。本発明はこれら課題を解決するものであり、開口部を有するネクタイ収納ケースに巻いたネクタイを収納し、ネクタイ搭載用棚を取り付けたネクタイ陳列装置内に羅列す事を特徴としたネクタイ陳列装置である。使用・携帯したネクタイは皺や折れ目が付き見苦しくなるが、本発明の収納装置に保管しておけば皺や折れ目の痕を除去・修復・改善する事ができる。ネクタイを巻き取る際にプラスチックフィルムを挟持して巻き取り、ネクタイ収納ケースに保管する。プラスチックフィルムは可撓性を有し、平滑な面と適度な硬度と弾力性を有するものであればよく、材料としてはポリエステル、ポリアミド、ポリエチレン、ポリプロピレン、フッ素樹脂等が上げられる。プラスチックフィルムが巻き込まれているのでネクタイ表面と該フィルム面がお互いに摺擦し、押し圧される事で接触しあい、蓄熱剤もしくは発熱体から発生する熱によって、ネクタイ表面に発生した皺や付いた折れ目が除去・修復・改善される。蓄熱剤としては一般に入手できるものであって、例えばシリカゲル、パラフィン類、ポリエチレン、ポリプロピレン及びポリアミドの如き樹脂類、ポリエチレングリコールやヘキサデシレンオキシド類、デカグリセリンステアリン酸、水等が挙げられる。電子レンジやヒーターなどで４０℃から８０℃程度に温め、使用する事で効果が得られる。
【発明の効果】
【０００８】
ネクタイ陳列パネルの収納はハンガーパイプに吊り下げて、背広等と一緒に同じ方向に納められるので場所を取らない。ネクタイ選択の際にはネクタイ陳列パネルに陳列されている全てのネクタイが一目で見渡せ、詳細に確認出来、取り出す事が出来るので目的のネクタイを迅速に取り出すことが出来る。ネクタイ収納ケースにネクタイを巻いて収納する際にネクタイホールダーを用いる。ネクタイホールダーは円筒状もしくは棒状の芯であり、ネクタイを収納する際に芯に取り付けられたネクタイ系止部にネクタイの折り込み部を係留し、動かない様に固定される。ネクタイは該芯に巻き取るだけなで収納スペースが非常にコンパクトとなる。ネクタイを収納する際は、このネクタイホールダーを開口部を有するネクタイ収納ケースに入れて保管する。迅速にネクタイを収納する事が出来、そしてネクタイがずれたり、移動しない様にネクタイを各々固定しているので従来の保存方法に比べて破損や傷みが生じ難い。ネクタイ収納ケースは収納棚に載せてネクタイ収納パネル面に行列状態で羅列してあるので、全てのネクタイを一目で見渡し、詳細に確認できるので、ネクタイの選定と取り出しが迅速に出来る。又、巻き取るネクタイを巻き込む際にネクタイの間に可撓性のプラスチックフィルムを挟んでおく事により、ネクタイを保管している間に、平滑なフィルム表面と蓄熱剤もしくは発熱体からの放熱とにより、ネクタイを使用・携帯した際に付いた皺や折れ目を除去・修復あるいは、改善する事が出来、多数のネクタイを羅列し、輸送時や保管する際にネクタイ等が擦れて損傷する事も無く、ネクタイを判別し易い状態で羅列、陳列し、簡単に探し出すことが出来て、その出し入れも容易におこなうことが出来る。又、複数のネクタイ陳列パネルを使用・携帯すれば、目的、季節、デザイン等の種類に合わせて多数のネクタイをグループごとに整理し分類が出来る。又  保管だけを目的とする収納は、発熱部分とプラスチックフィルムを用いないより軽量でコンパクトなネクタイ収納ケースを使用しても良い。
【発明を実施するための最良の形態】
【０００９】
以下、この発明に係るネクタイ収納ケースと陳列装置の実施例を示す図面に基づいてこの発明を説明する。
図１に示す様にネクタイホールダーは円筒状の芯であり、真の中央部付近に系止部を備えており、該系止部に半折りのネクタイのネクタイ折り込み部分を固定しネクタイを芯に巻きつける。ネクタイホールダーの芯の内部には蓄熱剤が保有されるか芯材そのものが発熱体を有する物質である。ネクタイを該芯に巻き込む際に可撓性のプラスチックフィルムを挟持し、挟み込んで巻取る。
【００１０】
図２はネクタイ収納ケースと該ネクタイ収納ケースに挿入するネクタイホールダーの概略図である。ネクタイ収納ケースは開口部を有する円筒状もしくは略円筒状構造の透明なプラスチックケースであり、ネクタイをネクタイホールダーに巻き取って該ネクタイ収納ケースに収納する。本実施例ではケースに切込みを入れて、ネクタイの厚みや長さ等のサイズを吸収できる様に配慮したものであるが、切り込みは無くても充分に機能する。
【００１１】
図３はネクタイ陳列パネルの正面図の例である。ネクタイ陳列パネルはネクタイ搭載用棚とネクタイ収納ケースからなっており、ネクタイの色・柄や形が見やすくなるように配置を調整したネクタイを順次羅列する。ネクタイ陳列パネルは軽量プラスチック板または金網製でその上に棚やバーがネクタイ収納ケースを収める為に配列されている。該パネルに取り付けられている懸吊用フックをクローゼットの内部の背広等が掛けてあるハンガーパイプに背広と同じ方向に吊し架けして保管出来る。
【００１２】
図４はネクタイ収納コンテナの全体を示す斜視図である。外扉を開放すれば、羅列されている全てのネクタイが見渡るので、目的のネクタイを探し出したり、又、取り出し・収納が非常に迅速に出来る。ネクタイは収納ケースに収納されて固定されているで、該コンテナを縦に配列、横に配列されても、又重ね置きされても棚からずれて落ちるなどの不具合は無い。
【産業上の利用可能性】
【００１３】
本発明のネクタイ収納コンテナに関わる殆ど全ての材料が  紙  、プラスチックや金属など市場で簡単に入手できるものであり、工業的に量産出来るばかりでなく、安価に生産出来るため、ネクタイの家庭内の収納や、産業上の保管、輸送、更に販売用の展示等の利用の可能性を有する。
【図面の簡単な説明】
【００１４】
尚、本実施における芯のサイズや系止部の形状、ネクタイ収納ケースの形状やネクタイ搭載用ボートの形状、長さの記載例は実施の説明に供したものであって本発明を制限するものではない。又、ネクタイ用コンテナやネクタイ陳列パネルのサイズや形状は使用・携帯する目的に応じて自由に変えることが出来る。
及び、それらの材質も本実施例に限定されるものではない。
【図１】ネクタイホールダーと系止部。ネクタイをプラスチックフィルムに巻き込む状態の概念図
【図２】ネクタイ収納ケースとネクタイホールダーの概念図
【図３】本発明のネクタイ陳列パネルの正面図
【図４】外扉を開放した状態のネクタイ収納コンテナの正面図
【符号の説明】
【００１５】
１）ネクタイホールダー
２）芯
３) 系止部
４）切り込み部
５）ネクタイ折り込み部
６）ネクタイ収納ケース
７）ネクタイ押し圧部
８）ネクタイレシーバー
９）ネクタイ収納パネル
１０）ネクタイ搭載用棚
１１）懸吊用フック
１２）ネクタイ収納コンテナ
１３) ネクタイ
１４）プラスチックフィルム
１５)  蓄熱剤
【図１】
2008035979.tif 000003
【図２】
2008035979.tif 000004
【図３】
2008035979.tif 000005
【図４】
2008035979.tif 000006